(57)【要約】【課題】  施療範囲を変化させる構成をもつ、より安全に治療することのできる手持ち式の小さい、軽いマッサージ器を提供する。【解決手段】  マッサージ器１は、本体２と、本体２に軸部４で連結されたヘッド部３とからなる。施療部を構成する施療子６０と施療子８０は、ヘッド部３の長手方向に並設されている。施療子６０ だけを使用したいときは、ボタン１１５を押し、施療子８０ をヘッド部内に押し込める。この場合、施療はスポット的になる。再度、ボタン１１５を押すと、施療子８０がヘッド部内部から突出し、施療子８０と施療子６０の高さがヘッド部の長手方向に一直線状に並ぶ状態になり、施療範囲が長くなる。前記ヘッド部ハウジングに通気孔を設け、ヘッド部内部で発生する熱を排熱する。また、衝撃吸収、消音用の緩衝ラバーをプランジャーに設ける。【選択図】  図２
2009131674.tif 000002
【特許請求の範囲】
【請求項１】
幅に比して長さが長い施療部を設けて該施療部にて叩きマッサージ動作を行うマッサージ器であって、
上記施療部はその長さ方向に短い施療子及び長い施療子の２つの施療子から構成され、
ヘッド部ハウジング内に、前記２つの施療子のうちの１の施療子を直接駆動する１の駆動手段を収容し、また、前記施療部を施療子の先端が前記ハウジングから出ている状態で収容し、
前記２つの施療子の先端が長さ方向に一直線状に並んでいる第１の状態と、前記長さ方向に短い施療子先端が他の施療子先端より突出する第２の状態とに切り替える切替手段を備え、
前記ヘッド部ハウジングに通気孔が設けられていることを特徴とするマッサージ器。
【請求項２】
前記駆動手段を収容する前記ヘッド部ハウジングと前記駆動手段のプランジャとの間に緩衝ラバーが設けられることを特徴とする請求項１に記載のマッサージ器。
【請求項３】
プログラム/マニュアル動作を切り替えるための切替スイッチを有することを特徴とする請求項１に記載のマッサージ器。
【請求項４】
電源の入/切の切り替え機能と施療動作の強弱の切り替え機能とを兼ね備えた１つのスイッチを有することを特徴とする請求項１に記載のマッサージ器。
【請求項５】
ヘッド部ハウジングは、３つのハウジングで互いに嵌合されて構成されることを特徴とする請求項１に記載のマッサージ器。
【発明の詳細な説明】
【技術分野】
【０００１】
本発明は、マッサージ器に関し、特に被施療者が手持ちでたたきマッサージ施療する際に施療範囲を切り替えて使用することができるマッサージ器に関する。
【背景技術】
【０００２】
従来の手持ち式マッサージ器においては、ソレノイドやモータ等の駆動手段を用いて施療部を往復駆動し、被施療者に対してたたきマッサージ施療を行うものがあり、１個の施療部を１個の駆動手段で駆動する構成が一般的である。この一般的な構成では施療範囲や施療感覚が単一であり、マッサージ効果が単調であるという課題があり、この課題の解決のために、
１）複数の施療部と、これらの施療部を個別に駆動する駆動手段とを備えた構成〔下記の[2],[4]〕
２）複数の施療部と、１個の駆動手段と、複数の施療部に駆動力を伝達する手段とを備えた構成〔下記の[1],[3],[5],[6]〕
といったものが提案されている。
[1] 回転駆動装置の出力軸の回転方向を変更し、多系統の動力伝達部から回転方向に応じて一方向クラッチで特定の系統にのみ動力を伝達し、１台で複数の異なる施療（振動／たたき）を行うようにした構成（例えば、特許文献１参照）。
[2] 本体ヘッドの内部に「同一に動作」する一対の可動部を並設し、各可動部に接触部を連結し、患部の左右両側から跨がるようにして刺激を与えるようにした構成（例えば、特許文献２参照）。
[3] １個のソレノイドによる往復運動せしめられる施療子を２個設け、ソレノイドを増やすことなく施療範囲が広くなるようにした構成（例えば、特許文献３参照）。
[4] 第１の施療子と、これを囲む第２の施療子と、これらを個別に駆動する２つの駆動手段とからなり、施療子の交換作業を要することなくポイント／ソフトマッサージを行うようにした構成（例えば、特許文献４参照）。
[5] 駆動軸が連結された局部用凸部と、駆動軸に設けられた弾性的な支持部に支持され、かつ駆動軸に対して摺動可能に配設された広範囲用凸部とを備え、人体に軽く押圧すると局部用及び広範囲用凸部の双方の振動が、強く押圧すると局部用凸部の振動が伝わるようにした構成（例えば、特許文献５参照）。
[6] 長い施療部の施療幅を変更可能に長い施療部の両側に副施療子を設け、副施療子の下回動位置では長い施療子に連結されて同調駆動されるとともに、上回動位置ではハウジングに連結されて長い施療子のみが駆動され、ワイド／チョッパー叩きができるようにした構成（例えば、特許文献６参照）。
【先行技術文献】
【特許文献】
【０００３】
【特許文献１】実開平６−５０６４１号公報
【特許文献２】実開平７−１９２９号公報
【特許文献３】特開平７−５９８３２号公報
【特許文献４】特開平９−２５３１４８号公報
【特許文献５】特開平１０−２３４８０４号公報
【特許文献６】特開２０００−３５０７６５号公報
【発明の概要】
【発明が解決しようとする課題】
【０００４】
しかしながら、上記提案においては、１）については、駆動手段を施療部の数だけ備えるため、駆動される施療部は適宜選択することができるものの、マッサージ器が大きく、重く、高価となるという課題がある。
【０００５】
２）については、駆動手段が１個のみで１）の課題は解決できるものの、構成[1] においては、モータの回転方向に応じて駆動される施療部を選択するために一方向クラッチを備えており、構造が複雑であり、しかも、複数の施療部はマッサージ器の両側面に設けられているため、施療部を切り替えるたびにマッサージ器を持ち替える必要がある。構成[3] においては、複数（２個）の施療部が常に交互もしくは同時に駆動されるため、マッサージ効果の単調さはあまり改善されない。また、構成[5] においては、人体への押圧度合を変えると広範囲の刺激と局部への刺激を切り替えることができるとされているが、局部への刺激の際にも広範囲用の施療部が人体に当接する構造であり、マッサージ効果の違いは明確ではなく、範囲の切り替えのための構造が複雑である。さらに、構成[6] においては、長い施療部の幅を切り替えるという構成であり、長い施療部の幅を狭くした場合でも施療範囲の長さは長いままであり、施療範囲の変化は明確ではない。
【０００６】
本発明は、そのような問題点に着目してなされたもので、施療範囲を明確に変化させる構成を、手持ち式に適した小ささ、軽さをもち、ユーザが安全に快適に使用できるマッサージ器を提供することを目的としている。
【課題を解決するための手段】
【０００７】
前記目的を達成するために、請求項１に記載の発明は、幅に比して長さが長い施療部を備えて該施療部にて叩きマッサージ動作を行うマッサージ器である。
上記施療部はその長さ方向に短い施療子及び長い施療子の２つの施療子から構成され、ヘッド部ハウジング内に、前記２つの施療子のうちの１の施療子を直接駆動する１の駆動手段を収容し、また、前記施療部を施療子の先端が前記ハウジングから出ている状態で収容し、前記２つの施療子の先端が長さ方向に一直線状に並んでいる第１の状態と、前記長さ方向に短い施療子先端が他の施療子先端より突出する第２の状態とに切り替える切替手段を備え、前記ヘッド部ハウジングに通気孔が設けられたことを特徴とする。
【０００８】
この構成によれば、２つの施療子先端（施療子が治療部位に接触する部分）がヘッド部の長手方向に一直線状に並ぶ状態で施療動作を行えば、施療範囲は２つの施療子を合わせた長さとなる。他方、１つの施療子が他の１つの施療子より突出した状態で施療動作を行えば、突出した施療子のみが施療動作を行うこととなり、施療範囲は２つの施療子が並列する状態よりも短くなるので、前記２つの状態を切り替えることにより、施療範囲を変化させることができる。
【０００９】
ヘッド部ハウジングに通気孔を設けることにより、駆動手段のもたらす発熱による危険を回避することができる。従って、ユーザはより安心してマッサージ器を使用することができる。
【００１０】
施療部は、ヘッド部の一端側に回動自在に枢支されており、かつ回動の中心はヘッド部の長手方向に対して直交しているのが好適である。また、ヘッド部は、使用時に手で握る本体に対して軸を中心として回動し、折りたたむことができる。
【００１１】
請求項２に記載の発明は、請求項１に記載の発明において、前記駆動手段を収容する前記ヘッド部ハウジングと前記駆動手段のプランジャとの間に緩衝ラバーが設けられることを特徴とするこれにより、マッサージ器が引き起こす不快な機械的振動、振動音が減少させるので、ユーザは本マッサージ器を使って快適に治療できる。
【００１２】
請求項３に記載の発明は、請求項１に記載の発明において、プログラム/マニュアル動作を切り替えるための切替スイッチを有することを特徴とする。
【００１３】
請求項４に記載の発明は、請求項１に記載の発明において、電源の入/切の切り替え機能と施療動作の強弱の切り替え機能とを兼ね備えた１つのスイッチを有することを特徴とする。
【００１４】
請求項５に記載の発明は、請求項１に記載の発明において、ヘッド部ハウジングは、３のハウジングで互いに嵌合されて構成されることを特徴とする。
【発明の効果】
【００１５】
この発明によれば、２つの施療子がヘッド部の長手方向に並んだ状態での施療又は１つの施療子より突出した施療子のみによる施療を選択して行うことができるので、施療範囲を明確に変化させることができる。しかも、そのような構成を、手持ち式に適した小ささ、軽さで実現することができる。また、本発明によれば、駆動手段がもたらす、発熱、不快な機械的振動、騒音を削減することができ、ユーザは本発明によるマッサージ器を使って、安全に快適に治療することができる。
【図面の簡単な説明】
【００１６】
【図１】実施形態に係るマッサージ器の通常の使用状態での外観斜視図である。
【図２】図１のマッサージ器の正面図である。
【図３】同マッサージ器のヘッド部を折り畳んだ状態の外観斜視図である。
【図４】図３のマッサージ器の正面図である。
【図５】同マッサージ器のヘッド部の外ハウジング内部に収容される施療機構を示す外観斜視図である。
【図６】図５の施療機構の一部分を示す分解斜視図である。
【図７】図５の施療機構の残部分を示す分解斜視図である。
【図８】図５の施療機構の更に残部分を示す分解斜視図である。
【図９】同マッサージ器における副施療子の斜視図である。
【図１０】同マッサージ器における副施療子の正面図である。
【図１１】同マッサージ器における副施療子の平面図（上面図）である。
【図１２】図１１の線Ａ−Ａにおける断面図である。
【図１３】同マッサージ器において、副施療子が主施療子に固定された状態で内ハウジングを内側から見た正面図である。
【図１４】同マッサージ器において、図１３の状態における要部拡大斜視図である。
【図１５】同マッサージ器において、副施療子が主施療子に固定されたときの常態における一部破断正面図である。
【図１６】同マッサージ器において、図１５の場合で主施療子が最も引っ込んだ状態における一部破断正面図である。
【図１７】同マッサージ器において、副施療子が内ハウジングに固定されたときの常態における一部破断正面図である。
【図１８】同マッサージ器において、図１７の場合で主施療子が最も引っ込んだ状態における一部破断正面図である。
【図１９】同マッサージ器において、副施療子が主施療子に固定されたときの要部拡大側面図である。
【図２０】同マッサージ器において、副施療子が内ハウジングに固定されたときの要部拡大側面図である。
【発明を実施するための形態】
【００１７】
以下、本発明のマッサージ器を実施形態に基づいて説明する。
【００１８】
その実施形態に係るマッサージ器の通常の使用状態での外観斜視図を図１に、また図１のマッサージ器の正面図を図２に、ヘッド部を折り畳んだ状態のマッサージ器の外観斜視図を図３に、図３のマッサージ器の正面図を図４に示す。但し、図１と図２〜図４とでは外観形状の細部に若干の相違がある。
【００１９】
このマッサージ器１は、使用時に手で握る本体２と、この本体２に軸部４により回動可能に連結されたヘッド部３とからなる。ヘッド部３は、本体２側に向けて約８５°の範囲で折り曲げ可能であり、使用時には図１、図２のようにヘッド部３を引き起こし、不使用時（仕舞う時）などは図３、図４のようにヘッド部３を折り畳んでおく。図１、図２の使用状態及び図３、図４の折り畳み状態のいずれでも軸部４によりヘッド部３にロックが掛かるようになっており、ロックやその解除は本体２とヘッド部３を強制的に相対して近づけたり離したりすることで行われる。
【００２０】
本体２には、電源スイッチ７、プログラム／マニュアル切替スイッチ８、プログラム選択／速度調節ダイヤル９が設けられている。電源スイッチ７は、電源の入／切の切替えと施療動作（たたき動作）の強弱の切替えを行うためのものである。プログラム／マニュアル切替スイッチ８は、予め設定されたプログラム動作とマニュアル動作を切り替えるためのものである。プログラム選択／速度調節ダイヤル９は、プログラム動作時は予め設定された８種類のプログラムを切り替え、マニュアル動作時は速度を８段階に切り替えるためのものである。また、本体２は、各種電子部品を搭載した回路基板（図示せず）等を内蔵する。
【００２１】
ヘッド部３は、軸部４に直交する方向に細長い形状に形成されており、外ハウジングＬ１１、外ハウジングＲ１２及び外ハウジングＵ１３を有し、外ハウジングＬ１１，Ｒ１２，Ｕ１３は、外ハウジングとして互いに嵌合されてネジにより一体に組み立てられる。このヘッド部３（外ハウジング）の長手方向に主施療子６０と副施療子８０（当該２つの施療子を施療部という）を、それらの先端が前記ヘッド部ハウジングから突出する状態で収容し、この主施療子６０と副施療子８０のヘッド部３に対する出入動作（たたき動作）により被施療者の部位（例えば肩部）を施療するようになっている。
【００２２】
外ハウジングＬ１１，Ｒ１２，Ｕ１３で構成される外ハウジング内部には、図５のような施療機構１５が収容されている。
【００２３】
施療機構１５は、図６〜図８に分解斜視図で示すような構造であり、図示のような形状の内ハウジングＬ２１（図６）と内ハウジングＲ２２（図７）とを有する。この一対の内ハウジングＬ２１，Ｒ２２は、内ハウジングとして互いに嵌合されてネジにより一体に組み立てられる。この一対の内ハウジングＬ２１，Ｒ２２で構成される内ハウジングに各種部品が取付けられ、この内ハウジングが外ハウジングＬ１１，Ｒ１２，Ｕ１３で構成される外ハウジング内に配置される。
【００２４】
図６において、施療機構１５を示す。前記施療機構は、ヘッド部ハウジング内にあって、駆動手段としてのソレノイド組立体４０を有する。ソレノイド組立体４０は、支持板４１と、この支持板４１の内側に配置されたボビン・コイル等の部品４２と、部品４２の中心に移動可能に挿通されたプランジャ４３とを有する。部品４２から延出するリード線５０は、本体２内部に設けられた回路基板に接続されている。プランジャ４３の一端部（上端部）には衝撃吸収・消音用の緩衝ラバー４４が取付けられ、支持板４１の下端部には取付け・衝撃吸収・消音用の緩衝ラバー４５が取付けられている。
【００２５】
プランジャ４３の他端部（下端部）には、一対のプランジャコネクタ４６がコネクタラバー４７を挟持する様態でネジとナットにより固定されるとともに、コネクタラバー４７に主施療子コネクタ４８が嵌合により取付けられている。更に、主施療子コネクタ４８は主施療子６０（図７）の内部に嵌合されるとともにネジにより固定される。主施療子コネクタ４８が主施療子６０の内部に固定された状態では、プランジャコネクタ４６までが主施療子６０の内部にほぼ収まっている。また、プランジャ４３の他端部にはスプリング４９が嵌挿されており、このスプリング４９は、プランジャ４３、すなわち主施療子６０をヘッド部３から出る方向に常時付勢する。なお、プランジャ４３の往復運動のストロークは、例えば約６ｍｍである。
【００２６】
ソレノイド組立体４０は、内ハウジングＬ２１，Ｒ２２に対しては、内ハウジングＬ２１，Ｒ２２に設けられたソレノイド組立体収容部２３に収容される。具体的には、ソレノイド組立体４０の緩衝ラバー４５が内ハウジングＬ２１，Ｒ２２の嵌合溝２４に嵌合されることで、ソレノイド組立体４０が内ハウジングＬ２１，Ｒ２２に取付けられる。内ハウジングＬ２１，Ｒ２２には通気孔２５が形成されるとともに、外ハウジングＬ１１，Ｒ１２にも通気孔１４（図１）が形成されており、ソレノイド組立体４０から発生する熱がそれらの通気孔２５，１４を通じてマッサージ器１の外部に逃げ易いようになっている。
【００２７】
主施療子６０（図７）は、内ハウジングＬ２１，Ｒ２２間に位置し、外側に被せられたラバー（図示せず）と、上記ソレノイド組立体４０のプランジャコネクタ４６、コネクタラバー４７及び主施療子コネクタ４８を収容する空胴部６１とを有する。この主施療子６０は、間隔を置いて対向する一対のアーム６２を有し、一方のアーム６２の内側に設けられたボス６３にフックレシーバ７０（主施療子側の被係合部）がネジにより取付けられる。フックレシーバ７０は、後記固定フック９０（係合部）のバー９１の先端部側が選択的に係脱可能に嵌合する嵌合溝７０ａを有する。このフックレシーバ７０と固定フック９０とで係合手段を構成する。
【００２８】
副施療子８０（図８）は、主施療子６０の一対のアーム６２間に位置し、外側に被せられたラバー（図示せず）と、アーム８１とを有する。
【００２９】
副施療子８０のアーム８１の基端部に形成された貫通孔８２と、主施療子６０の一対のアーム６２の各基端部に形成された貫通孔６４とには、シャフト６５が挿通され、このシャフト６５の両端部が内ハウジングＬ２１，Ｒ２２の基端側に設けられたボス２６に挿入されることで、主施療子６０と副施療子８０は内ハウジングＬ２１，Ｒ２２（外ハウジングＬ１１，Ｒ１２）に対して回動自在に枢支される。これにより、主施療子６０と副施療子８０はヘッド部３の長手方向に対して直交する軸を中心としてそれぞれ個別に回動自在となる。
【００３０】
また、シャフト６５において、副施療子８０のアーム８１の内側にはスプリング６６が嵌挿されており、このスプリング６６は副施療子８０を主施療子６０の一対のアーム６２の間から外側に出す方向（ヘッド部３から出る方向）に常時付勢する。なお、スプリング６６は、図７では主施療子６０の一対のアーム６２の内側に示されている。また、シャフト６５において、主施療子６０のアーム６２と副施療子８０のアーム８１との間の部分には、主施療子６０と副施療子８０がそれぞれ個別にスムーズに回動するようにワッシャ６７が介在される。
【００３１】
副施療子８０には、図８に示すような部品からなる固定フック９０が取付けられる。図９にそれらの斜視図を、図１０に正面図を、図１１に平面図（上面図）を、図１２に図１１の線Ａ−Ａにおける断面図を示す。但し、形状は図８に示すものと図９〜図１２に示すものとでは幾分異なるが、基本構成は同じである。
【００３２】
固定フック９０は、バー９１と、貫通孔９３が形成された二股状の軸足９２とを有する。この固定フック９０の軸足９２の貫通孔９３にシャフト９４が挿通され、このシャフト９４がシャフトケース９５に支持される。シャフトケース９５は副施療子８０の内部に嵌合されるとともにネジ９６により固定される。これにより、固定フック９０は、副施療子８０から突出し、シャフト９４を中心として可動範囲内で回動可能となり、フックレシーバ７０及び後述する内ハウジングＲ２２の内側の嵌合溝３４に対して係合状態と係合解除状態とを切り換え自在とすることができる。シャフト９４において、副施療子８０と固定フック９０の軸足９２との間の部分には、固定フック９０の回動をスムーズにするためのワッシャ９７が介在されている。また、二股状の軸足９２の内側のシャフト９４の部分にはスプリング９８が嵌挿され、このスプリング９８は、固定フック９０を主施療子６０に固定された前記フックレシーバ７０の方向に常時付勢する。
【００３３】
他方、図７、図１３（副施療子８０が主施療子６０に固定された状態で内ハウジングＲ２２を内側から見た正面図）、図１４（図１３の状態における要部拡大斜視図）、図１５（副施療子８０が主施療子６０に固定されたときの常態における一部破断正面図）、図１６（図１５の場合で主施療子６０が最も引っ込んだ状態における一部破断正面図）、図１７（副施療子８０が内ハウジングＲ２２に固定されたときの常態における一部破断正面図）、図１８（図１７の場合で主施療子６０が最も引っ込んだ状態における一部破断正面図）、図１９（副施療子８０が主施療子６０に固定されたときの要部拡大側面図）、及び図２０（副施療子８０が内ハウジングＲ２２に固定されたときの要部拡大側面図）に示すように、固定フック９０を押すためのリリースレバーリンク１１０は、円弧状のレバー１１１（解除部）と、取付片１１２とを有する。
【００３４】
このリリースレバーリンク１１０は、その取付片１１２が内ハウジングＲ２２の内側に設けられた嵌合部３０に嵌合されるとともに、その一端部１１０ａが内ハウジングＬ２１の内側のボス３１に挿入され、他端部１１０ｂが内ハウジングＲ２２の貫通孔３２に挿通される。他端部１１０ｂは内ハウジングＲ２２の貫通孔３２から突出し（図５）、この突出部分に図１〜図４に示された解除操作用ボタン１１５（操作部）が取付けられる。リリースレバーリンク１１０と解除操作用ボタン１１５とで解除手段を構成する。
【００３５】
リリースレバーリンク１１０のレバー１１１は、固定フック９０とバー９１とで形成される空間９９（図９）に挿通される。従って、外ハウジングＲ１２から出たボタン１１５を押すと、レバー１１１により固定フック９０はスプリング９８の付勢力に抗してフックレシーバ７０の反対側に移動する。
【００３６】
一方、固定フック９０のバー９１がフックレシーバ７０の嵌合溝７０ａに嵌合すると（図１３〜図１６、図１９）、副施療子８０が主施療子６０に固定された状態になり、バー９１が内ハウジングＲ２２の内側に形成された嵌合溝３４（ヘッド部側の被係合部）及び後記ガイドレール３５の嵌合溝３５ａに嵌合すると（図１７、図１８、図２０）、副施療子８０が内ハウジングＲ２２に固定された状態になる。
【００３７】
副施療子８０は、バー９１が嵌合溝３４に嵌合する位置を上限固定位置、バー９１がフックレシーバ７０に嵌合する位置を下限固定位置とし、両固定位置の間において回動可能となる。下限固定位置付近においては、バー９１とフックレシーバ７０とが嵌合し、副施療子８０は主施療子６０と係合して一体に動作する。従って、副施療子８０の下限固定位置は主施療子６０の施療動作における可動範囲のヘッド部からの突出量が最大となる位置に相当する。さらに、副施療子８０の上限固定位置は、主施療子６０の施療動作における可動範囲の上限位置よりも上方に設定されており、副施療子８０は主施療子６０の可動範囲よりも大きい可動範囲を有する。また、バー９１が嵌合溝３４又はフックレシーバ７０に嵌合した状態でボタン１１５を押せば、その嵌合が解除される。
【００３８】
なお、バー９１がフックレシーバ７０に嵌合した状態でボタン１１５を押せば、副施療子８０はスプリング６６の付勢によりヘッド部３から出る方向に移動しようとするが、バー９１がフックレシーバ７０から外れた状態では、固定フック９０が主施療子６０の一方のアーム６２に設けられたストッパ６８（図７）に当接するので、副施療子８０は下限固定位置を越えて回動しない。
【００３９】
具体的には、バー９１がフックレシーバ７０に嵌合した状態でボタン１１５を押し、副施療子８０をスプリング６６の付勢力に抗してヘッド部３内に押し込めば、バー９１が内ハウジングＲ２２の嵌合溝３４に嵌合する。これにより、副施療子８０が内ハウジングＲ２２に固定され、副施療子８０がヘッド部３内に最も引っ込んだ状態でロックされる。この状態では主施療子６０だけが施療動作を行う。反対に、バー９１が内ハウジングＲ２２の嵌合溝３４に嵌合した状態でボタン１１５を押せば、副施療子８０はスプリング６６の付勢によりヘッド部３から突出する方向に回動し、バー９１がフックレシーバ７０に嵌合する。これにより、副施療子８０が主施療子６０に固定され、副施療子８０がヘッド部３から最も突出した状態でロックされる。この状態では主施療子６０と副施療子８０が施療動作を行う。
【００４０】
なお、副施療子８０が可動範囲内を移動する際は、上記上限固定位置又は下限固定位置のいずれかで確実にロックされるように、内ハウジングＲ２２の内側にはガイドレール３５が設けられている。ガイドレール３５は、副施療子８０が上限固定位置と下限固定位置との間にある状態において、固定フック９０のバー９１がスプリング９８の付勢力に抗してフックレシーバ７０の反対側に回動した状態（係合解除状態）を維持するために、固定フック９０のバー９１の横方向に延伸した先端部と接触するように形成されており、ガイドレール３５は解除維持手段を構成する。
【００４１】
これにより、ボタン１１５を押し、バー９１がフックレシーバ７０又は内ハウジングＲ２２の嵌合溝３４との係合から解除された状態は、副施療子８０が上限固定位置又は下限固定位置のいずれかに到達するまで保持されることとなり、副施療子８０は上限固定位置又は下限固定位置のいずれかで確実にロックされる。このガイドレール３５は、副施療子８０の上限固定位置においてバー９１の先端部が嵌合する嵌合溝３５ａを有しており、嵌合溝３４とともにバー９１、すなわち副施療子８０を上限固定位置に固定する役割を果たしている。
【００４２】
一方、固定フック９０のロックを解除するリリースレバーリンク１１０のレバー１１１は、図１３〜図１８のように円弧状を呈しているが、これは、不要なモーメントの発生を抑えるために、固定フック９０の位置によらずにレバー１１１をできるだけ固定フック９０のレバー受け９０ａの左右方向ほぼ中央部分に接触させるためである。すなわち、副施療子８０の上限固定位置と下限固定位置との間での回動に伴い固定フック９０は副施療子８０の貫通孔８２を中心とした円弧状の軌跡を描くが、この円弧状の軌跡に沿うようにレバー１１１が延伸している。これにより、レバー１１１は固定フック９０の位置にかかわらず固定フック９０のレバー受け９０ａの左右方向ほぼ中央部分に接触するので、固定フック９０をねじるような不要なモーメントが発生しない。しかも、固定フック９０の位置（副施療子８０の位置）に対して副施療子８０を動かしたり止めたりするときのレバー１１１の変位量が変化せず、ボタン１１５の押圧操作が一定力及び一定量でよい。これらの結果、ボタン１１５の操作に対する副施療子８０の固定及び固定解除の応答性が良好になる。
【００４３】
このように構成したマッサージ器１では、主施療子６０と副施療子８０をともに施療動作に寄与させるためには、固定フック９０をフックレシーバ７０に係合させ、副施療子８０を主施療子６０に固定する。このとき、固定フック９０が内ハウジングＲ２２の嵌合溝３４に嵌合しているときは、ボタン１１５を押せばロックが解除され、副施療子８０に係るスプリング６６の付勢力により副施療子８０がヘッド部３から突出する方向に回動し、固定フック９０がフックレシーバ７０に係合する。この副施療子８０が主施療子６０に一体に固定されたときの常態では、主施療子６０及び副施療子８０は、ソレノイド組立体４０のスプリング４９によりヘッド部３から突出している（図１５）。
【００４４】
ここで、電源スイッチ７をＯＮにすると、ソレノイド組立体４０のプランジャ４３がスプリング４９の付勢力に抗して引っ込むのに伴って、主施療子６０及び副施療子８０がヘッド部３内に入る方向に移動する（図１６）。プランジャ４３が往復運動することで、主施療子６０及び副施療子８０が出入動作を繰り返し、施療部位（例えば肩部）に施療（たたく動作）が施される。この施療動作では、主施療子６０と副施療子８０がヘッド部３の長手方向に一直線状に並んでいるので、直線状の長い範囲に渡って施療動作が行われる。
【００４５】
主施療子６０だけを使用したいときは、ボタン１１５を押し、副施療子８０をヘッド部３内に押し込めばよい。すると、固定フック９０がフックレシーバ７０との係合状態から内ハウジングＲ２２の嵌合溝３４との係合状態に移行し、副施療子８０が内ハウジングＲ２２に固定される。この副施療子８０が内ハウジングＲ２２に一体に固定されたときの常態では、主施療子６０はソレノイド組立体４０のスプリング４９によりヘッド部３から突出しているが、副施療子８０はヘッド部３内に引っ込んだままである（図１７）。
【００４６】
肩等の被施療部位に対してマッサージ器１を上方から当接させて施療している場合は、解除操作用ボタン１１５を押すだけで副施療子８０はヘッド部３内に押し込まれる。これは、解除操作用ボタン１１５を押すことで固定フック９０とフックレシーバ７０とのロックが解除され、副施療子８０とヘッド部３とは相対的に回動自在な状態となるため、下面が肩等の被施療部位に支えられた副施療子８０に対してヘッド部３がその自重で下降するように相対的に回動するためである。このときガイドレール３５により、副施療子８０が上限固定位置に到達するまでは、固定フック９０のバー９１はフックレシーバ７０又は内ハウジングＲ２２の嵌合溝３４との係合から解除された状態が保持される。従って、固定フック９０はフックレシーバ７０との係合が解除された後は確実に内ハウジングＲ２２の嵌合溝３４との係合状態に移行することができる。
【００４７】
ここで、電源スイッチ７をＯＮにすると、ソレノイド組立体４０のプランジャ４３がスプリング４９の付勢力に抗して引っ込むのに伴って、主施療子６０だけがヘッド部３内に入る方向に移動する（図１８）。主施療子６０だけが出入動作を繰り返すことで、施療部位（例えば肩部）に施療（たたく動作）が施される。この場合は、主施療子６０だけが施療動作に寄与するので、直線状の短い範囲のみに施療動作が行われる。
【００４８】
このように、このマッサージ器１によれば、ボタン１１５を押して副施療子８０をヘッド部３から出せば広い範囲の施療動作に変更でき、ボタン１１５を押して副施療子８０をヘッド部３内に押し込めば狭い範囲の施療動作に変更でき、ヘッド部３の長手方向に延びる施療子（主施療子６０と副施療子８０）の長さを可変とすることができる。しかも、施療範囲を明確に変化させる構成を、手持ち式に適した小ささ、軽さで実現することができる。
【符号の説明】
【００４９】
１            マッサージ器
２            本体
３            ヘッド部
４            軸部
１５          施療機構
２１，２２    内ハウジングＬ，Ｒ
３４          嵌合溝（ヘッド部側の被係合部、係合手段）
３５          ガイドレール（解除維持手段）
３５ａ        嵌合溝
４０          ソレノイド組立体
６０          主施療子
７０          フックレシーバ（主施療子側の被係合部、係合手段）
７０ａ        嵌合溝
８０          副施療子
９０          固定フック（係合部、係合手段）
９１          バー
１１０        リリースレバーリンク（解除手段）
１１１        レバー（解除部）
１１５        解除操作用ボタン（操作部）
【図１】
2009131674.tif 000003
【図２】
2009131674.tif 000004
【図３】
2009131674.tif 000005
【図４】
2009131674.tif 000006
【図５】
2009131674.tif 000007
【図６】
2009131674.tif 000008
【図７】
2009131674.tif 000009
【図８】
2009131674.tif 000010
【図９】
2009131674.tif 000011
【図１０】
2009131674.tif 000012
【図１１】
2009131674.tif 000013
【図１２】
2009131674.tif 000014
【図１３】
2009131674.tif 000015
【図１４】
2009131674.tif 000016
【図１５】
2009131674.tif 000017
【図１６】
2009131674.tif 000018
【図１７】
2009131674.tif 000019
【図１８】
2009131674.tif 000020
【図１９】
2009131674.tif 000021
【図２０】
2009131674.tif 000022